(57)【要約】【課題】  地紋のドットに白抜けが発生すると、地紋の潜像部のドットが集中したドットと、背景部のドットが分散したドットでは、白抜けの量が異なるため、潜像部と背景部の濃度のバランスが崩れる。【解決手段】  注目画素の周辺画素の属性が地紋であるか否かを判断する判断手段と、前記判断手段により前記周辺画素の属性が地紋であると判断された場合には、前記注目画素に対してトラッピング処理を行わず、前記判断手段により前記周辺画素の属性が地紋でないと判断された場合には、前記注目画素に対してトラッピング処理を行うトラッピング処理手段を有することを特徴とする。【選択図】  図１１
2015133641.tif 000002
【特許請求の範囲】
【請求項１】
注目画素の周辺画素の属性が地紋であるか否かを判断する判断手段と、
前記判断手段により前記周辺画素の属性が地紋であると判断された場合には、前記注目画素に対してトラッピング処理を行わず、
前記判断手段により前記周辺画素の属性が地紋でないと判断された場合には、前記注目画素に対してトラッピング処理を行うトラッピング処理手段を有することを特徴とする画像処理装置。
【請求項２】
対象となる色版における注目画素の色が閾値よりも濃いか判断する手段と、
前記対象となる色版とは異なる色版における前記注目画素の色が閾値よりも濃いか判断する手段と、
前記対象となる色版における、前記注目画素の周辺に位置する周辺画素の色が閾値よりも濃いか判断する手段と、
前記周辺画素の属性が地紋であるか判断する手段とを有し、
前記対象となる色版における注目画素の色が閾値よりも濃くなく、前記異なる色版における前記注目画素の色が閾値よりも濃く、前記対象となる色版における、前記周辺画素の色が閾値よりも濃いと判断された場合に、
前記周辺画素の属性が地紋でないと判断されると、トラッピング処理を行い、
前記周辺画素の属性が地紋であると判断されると、トラッピング処理を行わないトラッピング処理手段を有することを特徴とする画像処理装置。
【請求項３】
前記トラッピング処理は、
前記対象となる色版における前記周辺画素の色を前記注目画素の色に加える処理であることを特徴とする請求項２に記載の画像処理装置。
【請求項４】
さらに、前記注目画素の属性を判断する判断手段を有し、
当該判断手段で前記注目画素の属性が地紋であると判断された場合には、
前記周辺画素の属性が地紋であるか判断する手段で、前記周辺画素の属性が地紋であるか判断せず、
前記対象となる色版における注目画素の色が閾値よりも濃くなく、前記異なる色版における前記注目画素の色が閾値よりも濃く、前記対象となる色版における、前記周辺画素の色が閾値よりも濃いと判断された場合に、トラッピング処理を行うことを特徴とする請求項２又は３に記載の画像処理装置。
【請求項５】
注目画素の周辺画素の属性が地紋であるか否かを判断する判断工程と、
前記判断工程により前記周辺画素の属性が地紋であると判断された場合には、前記注目画素に対してトラッピング処理を行わず、
前記判断工程により前記周辺画素の属性が地紋でないと判断された場合には、前記注目画素に対してトラッピング処理を行うトラッピング処理工程を有することを特徴とする画像処理方法。
【請求項６】
対象となる色版における注目画素の色が閾値よりも濃いか判断する工程と、
前記対象となる色版とは異なる色版における前記注目画素の色が閾値よりも濃いか判断する工程と、
前記対象となる色版における、前記注目画素の周辺に位置する周辺画素の色が閾値よりも濃いか判断する工程と、
前記周辺画素の属性が地紋であるか判断する工程とを有し、
前記対象となる色版における注目画素の色が閾値よりも濃くなく、前記異なる色版における前記注目画素の色が閾値よりも濃く、前記対象となる色版における、前記周辺画素の色が閾値よりも濃いと判断された場合に、
前記周辺画素の属性が地紋でないと判断されると、トラッピング処理を行い、
前記周辺画素の属性が地紋であると判断されると、トラッピング処理を行わないトラッピング処理工程を有することを特徴とする画像処理方法。
【請求項７】
前記トラッピング処理は、
前記対象となる色版における前記周辺画素の色を前記注目画素の色に加える処理であることを特徴とする請求項６に記載の画像処理方法。
【請求項８】
さらに、前記注目画素の属性を判断する判断工程を有し、
当該判断工程で前記注目画素の属性が地紋であると判断された場合には、
前記周辺画素の属性が地紋であるか判断する工程で、前記周辺画素の属性が地紋であるか判断せず、
前記対象となる色版における注目画素の色が閾値よりも濃くなく、前記異なる色版における前記注目画素の色が閾値よりも濃く、前記対象となる色版における、前記周辺画素の色が閾値よりも濃いと判断された場合に、トラッピング処理を行うことを特徴とする請求項６又は７に記載の画像処理方法。
【請求項９】
請求項５乃至８の何れか１項に記載の画像処理方法をコンピュータに実行させるためのコンピュータで読み取り可能なプログラム。
【発明の詳細な説明】
【技術分野】
【０００１】
本発明は、トラッピング処理に関する画像処理装置、画像処理方法、プログラムに関する。
【背景技術】
【０００２】
領収書や証券、証明書には、簡単に複写されることがないように、複写すると、文字や画像が浮かび上がる特殊な模様が背景に印刷されているものがある。この特殊な模様は、一般に「地紋」と呼ばれ、複写によって原本が容易に複製できないような仕掛けを施し、原本の複写を抑止する効果を実現している。
【０００３】
複写後にドットが残る領域は各々のドットが集中した固まりのドットで構成し、複写後にドットが消える領域は各々のドットが分散したドットで構成することで、濃度がほぼ同じでそれぞれ特性が異なる二つの領域を作り出すことができる。複写後にドットが残る領域は、潜像部、ドットが消える領域は、背景部と呼ばれる。
【０００４】
この地紋は、用紙メーカーがプレプリントした専用紙だけでなく、ソフトウェア的に地紋を作成し、印刷装置でその地紋が背景に配置された文書を出力する技術が実現されている（特許文献１参照。）。
【先行技術文献】
【特許文献】
【０００５】
【特許文献１】特開２００１−１９７２９７
【発明の概要】
【発明が解決しようとする課題】
【０００６】
しかしながら、上述したように原稿画像データの背景に地紋を付加する地紋文書印刷では、カラー印刷装置の版ずれが発生すると、色によっては、原稿画像データと地紋の間に白抜けが発生する場合がある。
【０００７】
地紋のドットに白抜けが発生すると、地紋の潜像部のドットが集中したドットと、背景部のドットが分散したドットでは、白抜けの量が異なるため、潜像部と背景部の濃度のバランスが崩れる。それにより、本来隠れているべき潜像部が複写する前から可視化され、地紋の有効性が損なわれてしまうという問題があった。
【課題を解決するための手段】
【０００８】
上記課題を解決するべく、本発明は、注目画素の周辺画素の属性が地紋であるか否かを判断する判断手段と、前記判断手段により前記周辺画素の属性が地紋であると判断された場合には、前記注目画素に対してトラッピング処理を行わず、前記判断手段により前記周辺画素の属性が地紋でないと判断された場合には、前記注目画素に対してトラッピング処理を行うトラッピング処理手段を有することを特徴とする。
【発明の効果】
【０００９】
本発明によって、地紋の下地に地紋の周辺画素の色を重ねることで、印刷装置の版ずれが発生しても、白抜けを抑えることができ、地紋の潜像部が可視化されず、地紋の特性を保持することが可能になる。
【図面の簡単な説明】
【００１０】
【図１】画像処理システムの構成を示すブロック図である
【図２】画像処理装置１０１のコントローラ１０３の構成を示すブロック図である
【図３】コントローラ１０３の画像形成部２０７の構成を示すブロック図である
【図４】８ｘ８のドット集中型ディザマトリクスの一例を示す図である
【図５】ドット集中型ディザマトリクスを用いて得られる閾値パターンを表す図である
【図６】８ｘ８のドット分散型ディザマトリクスの一例を示す図である
【図７】ドット分散型ディザマトリクスを用いて得られる閾値パターンを表す図である
【図８】閾値パターンの面積比率と濃度との関係を表す図である
【図９】地紋生成部３０４で生成した地紋データを示す模式図である
【図１０】画像データと地紋データの合成処理を示す模式図である
【図１１】トラッピング処理の流れを示すフローチャートである
【図１２】地紋のトラッピング処理の流れを示すフローチャートである
【図１３】地紋以外のトラッピング処理の流れを示すフローチャートである
【図１４】地紋が原稿全体に印刷される時のトラッピング処理の流れを示すフローチャートである
【発明を実施するための形態】
【００１１】
以下、本発明の発明を実施するための最良の形態について図面を用いて説明する。
【００１２】
（実施形態１）
図１は本発明の実施形態に係る画像処理システムの構成を示すブロック図である。
【００１３】
このシステムではホストコンピュータ１０６及び画像処理装置１０１がネットワーク１０５に接続されているが、本発明における画像処理システムにおいては、これらの接続数に限られることはない。また、本実施例では接続方法としてネットワークを適用しているが、これに限られることはない。例えば、ＵＳＢなどのシリアル伝送方式、セントロニクスやＳＣＳＩなどのパラレル伝送方式なども適用可能である。
【００１４】
ホストコンピュータ（以下、ＰＣと称する）１０６はパーソナルコンピュータの機能を有している。このＰＣ１０６はネットワーク１０５を用いファイルを送受信することができる。また、ＰＣ１０６は画像処理装置１０１に対して、プリンタドライバを介した現行の印刷データを送信し。さらには、地紋データを生成し、印刷データに付加することも可能となっている。
【００１５】
画像処理装置１０１は、画像出力デバイスであるプリンタ部１０４、画像処理装置１０１全体の動作制御を司るコントローラ１０３、ユーザが指示を行うための複数のキーやユーザに通知すべき各種情報を表示する操作部１０２から構成される。
【００１６】
図２は、画像処理装置１０１のコントローラ１０３の構成を示すブロック図である。
【００１７】
コントローラ１０３はネットワーク１０５介してＰＣ１０６や外部の画像処理装置などと接続されている。これにより印刷データやデバイス情報の入出力が可能となっている。
【００１８】
ＣＰＵ２０１は、ＲＯＭ２０３に記憶された制御プログラム等に基づいて接続中の各種デバイスとのアクセスを統括的に制御すると共に、コントローラ内部で行われる画像処理等の各種処理についても統括的に制御する。ＲＡＭ２０２は、ＣＰＵ２０１が動作するためのシステムワークメモリであり、かつ画像データを一時記憶するためのメモリでもある。このＲＡＭ２０２は、記憶した内容を電源ｏｆｆ後も保持しておくＳＲＡＭ及び電源ｏｆｆ後には記憶した内容が消去されてしまうＤＲＡＭにより構成されている。ＲＯＭ２０３には装置のブートプログラムなどが格納されている。ＨＤＤ２０４はハードディスクドライブであり、システムソフトウェアや画像データを格納することが可能となっている。
【００１９】
操作部Ｉ／Ｆ２０５は、操作部１０２と接続するためのインターフェース部である。この操作部Ｉ／Ｆ２０５は、操作部１０２に表示するための画像データを操作部１０２に出力すると共に、操作部１０２から入力された情報を取得する。
【００２０】
ネットワークＩ／Ｆ２０６はネットワーク１０５に接続し、画像データや情報の送受信を行う。
【００２１】
画像形成部２０７は、ＰＣ１０６などから送信された原稿の印刷データであるＰＤＬコードデータを元に生成された中間データや地紋データを受取り、ビットマップ（多値）の画像データや属性データを生成する。さらにこの画像データに付随させられている属性データを参照しながら画像データに画像処理を施す。画像処理後の画像データは、プリンタＩ／Ｆ２０９を介してプリンタ部１０４に出力される。
【００２２】
プリンタ部１０４は、画像処理後の画像データに応じて、静電潜像を形成して、この静電潜像を現像して単色トナー像を形成する。この単色トナー像を重ね合わせて多色トナー像を形成し、この多色トナー像を記録媒体へ転写してその記録媒体上の多色トナー像を定着させる。
【００２３】
図３はコントローラ１０３の画像形成部２０７の構成を示すブロック図である。
【００２４】
レンダリング部３０１は、ＰＣ１０などから送信された印刷データ３１１を解析し、画像データと属性データを生成する。画像データは、印刷データ３１１の描画情報から、プリンタ部１０４の解像度に合わせて描画する画素パターンを形成し、各画素に描画する色情報を入れた描画ピットマップである。属性データは、印刷データが、文字、線、図形、イメージ、地紋のいずれかであるかの情報を描画ビットマップの各画素に対応ように格納した属性ビットマップである。
【００２５】
色変換部３０２は、画像データの色情報を色変換ＬＵＴやマトリックス演算によってプリンタ１０４のトナーの色である４つの画像信号から成る濃度のＣＭＹＫ色空間に変換する。
【００２６】
トラッピング処理部２０３は、プリンタ１０４の色である４つの色版（Ｃ版、Ｍ版、Ｙ版、Ｋ版）の版ずれ時の白抜けを防止するために、異なる色版が接するエッジを抽出し、エッジ部分でお互いの色版を重ねる。
【００２７】
ガンマ処理部３０３は、１次元ＬＵＴによって、色変換部３０２で変換されたＣＭＹＫの濃度信号値が目標の濃度値（階調）になるように濃度階調の調整を行う。
【００２８】
中間調処理部３０４は、濃度階調の調整を行った多階調（例えば８ビット）の各画素の画像信号を、ディザ処理による擬似中間調処理によって、プリンタ部１０４で印刷可能なビット数（例えば４ビット）の画像データに変換する。
【００２９】
プリンタ部１０４で印刷可能なビット数（例えば４ビット）の画像データに変換された画像データ３１３は、プリンタＩ／Ｆ２０８を介してプリンタ１０４へと送出される。
【００３０】
次に、地紋について詳しく説明する。地紋はＰＣ１０６で生成され印刷データとして、画像処理装置１０１に入力される。
【００３１】
地紋は、同じ濃度の複写後にドットが残る潜像部とドットが消える背景部で構成される。なお、本実施形態では、ディザ法を用い、背景部に対応する画像は、ドット分散型ディザマトリクスを用いてドットが離散的に配置されるように設計する。また、潜像部に対応する画像はドット集中型ディザマトリクスを用いてドットが集中して配置されるように設計するものとする。さらに、プリンタを使って紙に印刷した時に背景部と潜像部がほぼ同じ濃度となるよう、それぞれ適切な入力画像信号を入力して、ディザ法によって潜像部および背景部を構成する２値画像を生成する。
【００３２】
潜像部と背景部におけるドットの配置について説明する。実施例では、潜像部をドット集中型ディザマトリクス、背景部をドット分散型ディザマトリクスに基づいて生成する場合について説明する。
【００３３】
以下の説明では、地紋の背景部を構成する２値画像を背景パターンと呼び、潜像部を構成する２値画像を潜像パターンと呼ぶ。
【００３４】
図４は、潜像パターンを生成する８ｘ８のドット集中型ディザマトリクスの一例を示す図である。閾値パターンは、中央および四隅にドットが集中するように設計されている。
【００３５】
図５は、図４の８ｘ８のドット集中型ディザマトリクスを用いて所定の入力画像信号を閾値処理して得られる閾値パターン（ドット配置）を表す図である。図５において、５０１、５０２、５０３は入力画像信号８、１２、１８を図４のディザマトリクスでそれぞれ閾値処理して得られる閾値パターンを示している。ここで得られる閾値パターン（ドット配置）が潜像パターンであり、各々のドットが集中して配置されるパターンとなっている。
【００３６】
図６は、背景パターンを生成する８ｘ８のドット分散型ディザマトリクスの一例を示す図である。閾値パターンは、各々のドットが分散して配置されるように設計されている。
【００３７】
図７は、図６の８ｘ８のドット分散型ディザマトリクスを用いて所定の入力画像信号を閾値処理して得られる閾値パターン（ドット配置）を表す図である。図７において、７０１、７０２、７０３は入力画像信号８、１２、１８を図６のディザマトリクスでそれぞれ閾値処理して得られる閾値パターンを示している。ここで得られる閾値パターン（ドット配置）が背景パターンであり、各々のドットがお互いに分散して配置されるパターンとなっている。
【００３８】
図８は、入力画像信号をディザマトリクスで閾値処理して得られる閾値パターンの黒画素の面積比率と、閾値パターンを印刷した時の濃度との関係を表す図である。尚、ディザ処理では、入力画像信号の階調に従って黒画素の面積比率が変化するため、図８の横軸を入力画像信号の階調レベルと見ても良い。
【００３９】
背景部のディザマトリクスと潜像部のディザマトリクスの階調レベルの濃度特性が８０１に示すような同一の濃度特性の場合、横軸の値がほぼ等しいならば、背景の閾値パターンと潜像の閾値パターンの濃度はほぼ等しくなる。それにより、潜像が目立たない地紋画像を生成することができる。
【００４０】
しかしながら、実際には、プリンタの特性により、背景部のディザマトリクスと潜像部のディザマトリクスの階調特性が必ずしも同一になるとは限らない。
【００４１】
例えば、ドット集中型の潜像部のディザマトリクスの濃度特性は８０２に示すような階調レベルに対して徐々濃くなり、ドット分散型の背景部のディザマトリクスの濃度特性は８０３に示すような初め緩やかで途中で急激に濃くなるような特性となる。このような場合、背景パターンと潜像パターンの黒画素の面積比率をほぼ等しく設定しても、印刷時の背景部と潜像部の濃度は同一にはならない。
【００４２】
そのため、背景部又は潜像部の一方、又は双方のディザマトリクスに対する入力画像信号の階調レベルを調節することで、できるだけ他方の印刷時の濃度に近づけるようにする。
【００４３】
図９は、生成した地紋データを示す模式図である。図９において、文字を潜像部９０１として図５に示した潜像パターンで描画し、破線で囲まれた文字以外の部分を背景部９０２として図７に示した背景パターンで描画される。尚、図９の潜像部と背景部は実際には同じ濃度であるため、文字（潜像部）は隠れて見える。また、画像を囲む破線は画像の境界を示しており、実際の画像には存在しない。
【００４４】
次に、地紋データと原稿の印刷データを合成する処理について説明する。合成処理は、レンダリング部３０１で行う。
【００４５】
図１０は、印刷データと地紋データの合成処理を示す模式図である。図１０において、１００１は印刷データ、１００２は地紋データを表している。
【００４６】
レンダリング部３０１では、ＰＣ１０６などから送信された原稿の印刷データを解析し生成した画像データ１００１と、上述した地紋データ１００２の夫々のデータを配置に関する優先順位（レイヤー構造）に従ってソフトウェア的に重ね合わせる。それにより、１００３に示すような画像データと地紋データが合成された画像データを生成する。画像データと地紋データは多値データで合成され、地紋を構成するドットの位置に、地紋データが上書きされる（画像データの地紋のドットの位置のデータは地紋データのみになる）。
【００４７】
同時に、地紋を構成するドットの位置に対応する属性データの画素の属性情報は地紋の属性を格納した属性ビットマップを生成する。
【００４８】
次に地紋のトラッピング処理について説明する。トラッピング処理は、画像形成部２０７のトラッピング処理部３０３で行われる。
【００４９】
トラッピング処理は、各色版に版ずれが発生した時の白抜けを防止するために、異なる色版が接するエッジを抽出し、エッジ部分でお互いの色版を重ねる処理である。
【００５０】
通常のトラッピング処理では、エッジ部分のお互いの色版は広げて重ねている。しかし、地紋のドットに対しては、地紋ドット自体を広げてしまうと、ドットを集中させている潜像部と、ドットを分散させている背景部では、異なる色版と接するエッジ領域が異なるため、潜像部と背景部の濃度バランスが崩れてしまう。例えば、図５の潜像部のドットパターンと図７の背景部のドットパターンでは、ドットが分散しているは背景部のドットパターンの方が、ドットを集中させている潜像部のドットパターンよりもエッジ領域が多い。よって、それぞれのエッジ領域を広げると、背景部の濃度が濃くなってしまう。
【００５１】
そのため、地紋自体の色版は広げず、隣接する周辺の色版のみを広げることで、白抜けを防止し、かつ濃度バランスを維持する。
【００５２】
図１１は、トラッピング処理の流れを示すフローチャートである。
【００５３】
トラッピング処理は、色変換部３０２においてＣＭＹＫの濃度値に変換された画像データと属性データを受け取る（ステップ１１０１）。そして、トラッピングの対象となる画素である注目画素の色および属性の情報を獲得する（ステップ１１０２）。そして、画像データのすべての画素においてトラッピング処理を行った否かを判断し（ステップ１１０３）、すべての画像が終了していないと判断された場合は、注目画素の属性情報から注目画素の属性が地紋か否かを判断する（ステップ１１０４）。ステップ１１０４において注目画素の属性が地紋であると判断された場合は、地紋のトラッピング処理を実行し（ステップ１１０５）、次の画素を注目画素として（ステップ１１０７）、ステップ１１０２に戻る。
【００５４】
一方、ステップ１１０４において、注目画素の属性が地紋でないと判断された場合は、地紋以外のトラッピング処理を実行し（ステップ１１０６）、ステップ１１０７に進む。
【００５５】
一方、ステップ１１０２において、すべての画素のトラッピング処理を実施したと判断された場合は、処理を終了する。
【００５６】
次に、地紋のトラッピング処理（ステップ１１０５）について詳しく説明する。
【００５７】
図１２は地紋のトラッピング処理の流れを示すフローチャートである。
【００５８】
地紋のトラッピング処理は、注目画素のＣＭＹＫのすべての色版の処理が終了したか否かを判断する（ステップ１２０１）。すべての色版の処理がしていないと判断された場合は、まだ処理をしていない色版を対象色版として選択し（ステップ１２０２）、注目画素の対象色版の濃度を判断する（ステップ１２０３）。ここで濃度の判断は、予め定めた各色の濃度閾値と比較し、注目画素の色の濃度値が濃度閾値以上の場合は“濃い”と判断し、濃度閾値より小さい場合は“薄い”と判断する。
【００５９】
ステップ１２０３において、注目画素の対象色版の濃度が薄いと判断された場合は、注目画素の周辺の画素の対象色版の濃度値を獲得する（ステップ１２０４）。そして、周辺画素の対象色版の濃度を判断し（ステップ１２０５）、周辺画素に濃度が濃い画素がある場合は、注目画素の対象色版を周辺画素の濃度で塗り（ステップ１１０７）、ステップ１２０１に戻る。
【００６０】
一方、ステップ１２０５において、周辺画素の濃度がすべて薄い画素であると判断された場合は、ステップ１２０１に戻り、次の色版の処理を行う。
【００６１】
一方、ステップ１２０１において、注目画素のＣＭＹＫのすべての色版の処理が終了と判断された場合は、処理を終了する。
【００６２】
次に、地紋以外の画素のトラッピング処理（ステップ１１０６）について詳しく説明する。
【００６３】
図１３は地紋以外のトラッピング処理の流れを示すフローチャートである。
【００６４】
地紋以外のトラッピング処理は、地紋でない注目画素のＣＭＹＫのすべての色版の処理が終了したか否かを判断する（ステップ１３０１）。そして、すべての色版の処理がしていないと判断された場合は、まだ処理をしていない色版を対象色版として選択し（ステップ１３０２）、注目画素の対象色版の濃度を判断する（ステップ１３０３）。ここで濃度の判断も地紋のトラッピング処理（ステップ１１０５）と同様に、予め定めた各色の濃度閾値と比較し、注目画素の色の濃度値が濃度閾値以上の場合は“濃い”と判断し、濃度閾値より小さい場合は“薄い”と判断する。
【００６５】
ステップ１３０３において、注目画素の対象色版の濃度が薄いと判断された場合は、注目画素の対象色版以外の色版に濃度が濃い色版があるか否かを判断する（ステップ１３０４）。そして、濃い色版があると判断された場合は、注目画素の周辺の画素の対象色版の濃度値を獲得する（ステップ１３０５）。そして、周辺画素の対象色版の濃度を判断し（ステップ１３０６）、周辺画素に濃度が濃い画素がある場合は、その濃い濃度の画素の中に属性が地紋の画素があるか否かを判断する（ステップ１３０７）。また、属性が地紋の画素がないと判断された場合は、注目画素の対象色版を周辺画素の濃度で塗り（ステップ１３０８）、ステップ１３０１に戻る。
【００６６】
一方、ステップ１３０７において、属性が地紋のデータがあると判断された場合は、ステップ１３０１に戻り、次の色版の処理を行う。
【００６７】
一方、ステップ１３０６において、周辺画素の濃度がすべて薄い画素であると判断された場合は、ステップ１３０１に戻り、次の色版の処理を行う。
【００６８】
一方、ステップ１３０４おいて、注目画素のすべての色版が薄いと判断された場合は、注目画素は白色の画素と判断し、処理を終了する。
【００６９】
一方、ステップ１３０１において、注目画素のＣＭＹＫのすべての色版の処理が終了と判断された場合は、処理を終了する。
【００７０】
以上述べたように、地紋の色と異なる色版の色が地紋に隣接する場合は通常のトラッピング処理のようにエッジ部分のお互いの色版は広げて重ねると、地紋のドットを集中させている潜像部と、ドットを分散させている背景部とで異なる色版と接するエッジ領域が異なり潜像部と背景部の濃度バランスが崩れてしまうため、地紋の下地に隣接する周辺画素の色を重ねることで、印刷装置の版ずれが発生しても、白抜けを抑えることができる。さらには、地紋自体は色を広げないようにすることで、潜像部と背景部の濃度バランスを保ち、潜像部が可視化されず、地紋の有効性を保持することが可能になる。
【００７１】
（実施形態２）
実施形態１においては地紋のトラッピング処理は、ＣＭＹＫの４色に色版に対して、実施しているが、地紋が原稿全体に印刷される場合は、地紋の色を構成する色版はトラッピング処理が行われない。地紋のトラッピング処理は、地紋自体は色を広げないため、注目画素の周辺画素に濃い濃度の地紋が存在する場合、その色版の色を塗る処理は行わない（図１３の地紋以外のトラッピング処理）。
【００７２】
地紋自体は図７に示した地紋の背景パターンが原稿全体に配置された場合、３ｘ３の画素領域に必ず地紋のドットが存在するようになるため、地紋の色の色版を広げることはなくなる。
【００７３】
地紋自体の色版のトラッピング処理を省略することで、トラッピング処理の高速化が可能になる。
【００７４】
そこで、本実施形態では、地紋が原稿全体に印刷される時の、地紋のトラッピング処理について説明する。
【００７５】
図１４は、地紋が原稿全体に印刷される時のトラッピング処理の流れを示すフローチャートである。
【００７６】
トラッピング処理は、画像データと属性データを受け取り（ステップ１４０１）、属性データの中に地紋の属性データがあるか否かを判断し（ステップ１４０２）、地紋の属性があると判断された場合は、地紋の色を構成する色版を獲得する（ステップ１４０３）。たとえば、地紋の色がＣｙａｎの場合は地紋を構成する色版は、Ｃｙａｎ版（Ｃ版）となり、地紋の色が青の場合は、地紋を構成する色版はＣｙａｎ版とＭａｇｅｎｔａ版となる。
【００７７】
次に、ステップ１４０３で獲得した地紋を構成する色版を、トラッピング処理済みに設定して（ステップ１４０４）、ステップ１４０５に進む。
【００７８】
ステップ１４０５では、トラッピングの対象となる画素である注目画素の色および属性の情報を獲得し、画像データのすべての画素においてトラッピング処理を行った否かを判断する（ステップ１４０６）。すべての画像が終了していないと判断された場合は、注目画素の属性情報から注目画素の属性が地紋か否かを判断する（ステップ１４０７）。ステップ１４０７において注目画素の属性が地紋であると判断された場合は、地紋のトラッピング処理を実行する（ステップ１４０８）。この時、地紋を構成する色版についてはトラッピング処理済みとなっているため、地紋のトラッピング処理（ステップ１４０８）では、地紋を構成する色版のトラッピング処理を省くことで処理を高速化する。
【００７９】
そして、次の画素を注目画素として（ステップ１４１０）、ステップ１４０５に戻る。
【００８０】
一方、ステップ１４０７において、注目画素の属性が地紋でないと判断された場合は、地紋以外のトラッピング処理を実行し（ステップ１４０９）、ステップ１４１０に進む。ここでも、地紋を構成する色版についてはトラッピング処理済みとなっているため、地紋以外のトラッピング処理（ステップ１４０９）において地紋を構成する色版のトラッピング処理を省くことができる。
【００８１】
一方、ステップ１４０６において、すべての画素のトラッピング処理を実施したと判断された場合は、処理を終了する。
【００８２】
ここで、地紋のトラッピング処理（ステップ１４０９）と地紋以外のトラッピング処理（ステップ１４０９）については、地紋の色版についての処理を省略する以外は、図１２の地紋のトラッピング処理と、図１３の地紋以外のトラッピング処理と同様の処理形態である。よって、説明は省略する。
【００８３】
以上述べたように、地紋は原稿全体に印刷される場合は、地紋自体の色版のトラッピング処理を省略することで、特に地紋のトラッピング処理をソフトウェアで実施する際に、トラッピング処理の高速化が可能となる。
【００８４】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００８５】
１０１  画像形成装置
１０２  操作部
１０３  コントローラ
１０４  プリンタ
１０５  ネットワーク
１０６  ホストコンピュータ
２０１  ＣＰＵ
２０２  ＲＡＭ
２０３  ＲＯＭ
２０４  ＨＤＤ
２０５  操作部Ｉ／Ｆ
２０６  ネットワークＩ／Ｆ
２０７  画像形成部
２０８  プリンタＩ／Ｆ
【図１】
2015133641.tif 000003
【図２】
2015133641.tif 000004
【図３】
2015133641.tif 000005
【図４】
2015133641.tif 000006
【図５】
2015133641.tif 000007
【図６】
2015133641.tif 000008
【図７】
2015133641.tif 000009
【図８】
2015133641.tif 000010
【図９】
2015133641.tif 000011
【図１０】
2015133641.tif 000012
【図１１】
2015133641.tif 000013
【図１２】
2015133641.tif 000014
【図１３】
2015133641.tif 000015
【図１４】
2015133641.tif 000016